(57)【要約】【課題】  レンズカバーの開閉が容易に行われるようにして使い勝手の向上等を図る。【解決手段】  被写体を撮影するための撮影レンズ１０が配置された装置本体２と、装置本体に所定の方向へスライド自在に支持されると共に所定の方向へスライドされて撮影レンズを開放する開放位置又は撮影レンズを閉塞する閉塞位置に移動されるレンズカバー３とを設け、装置本体に、該装置本体がレンズカバーのスライド方向へ移動されたときに該スライド方向へ移動されて加速度を生じるハンマー２１を配置し、該ハンマーに一定以上の加速度が生じたときにレンズカバーが装置本体に対して所定の方向へスライドされて開放位置又は閉塞位置に移動されるようにした。【選択図】        図５
2010128442.tif 000002
【特許請求の範囲】
【請求項１】
被写体を撮影するための撮影レンズが配置された装置本体と、
前記装置本体に所定の方向へスライド自在に支持されると共に前記所定の方向へスライドされて前記撮影レンズを開放する開放位置又は前記撮影レンズを閉塞する閉塞位置に移動されるレンズカバーとを備え、
前記装置本体に、該装置本体が前記レンズカバーの前記スライド方向へ移動されたときに該スライド方向へ移動されて加速度を生じる作動部材を配置し、
前記作動部材に一定以上の加速度が生じたときに前記レンズカバーが前記装置本体に対して前記所定の方向へスライドされて前記開放位置又は前記閉塞位置に移動されるようにした
撮像装置。
【請求項２】
前記作動部材として接触部を有するハンマーを用い、
前記レンズカバーを前記閉塞位置に保持するための第１の保持用係合部と前記レンズカバーを前記開放位置に保持するための第２の保持用係合部とを有するホルダーと、
前記ホルダーに所定の移動方向へ移動自在に支持されると共に前記ハンマーが前記スライド方向へ移動されたときに前記ハンマーの接触部が衝突されて前記移動方向へ移動される移動部材と、
前記ホルダーに前記所定の移動方向へ移動自在に支持されると共に前記移動部材が前記ハンマーの衝突によって前記移動方向へ移動されたときに前記移動方向へ移動され前記接触部の前記移動部材への衝突毎に前記第１の保持用係合部と前記第２の保持用係合部に対する係合が交互に行われるスライダーとを設け、
前記レンズカバーが前記スライダーの前記所定の方向への移動に応じて前記スライド方向へスライドされ前記第１の保持用係合部又は前記第２の保持用係合部に対する前記スライダーの係合状態に応じて前記レンズカバーが前記閉塞位置又は前記開放位置に保持されるようにした
請求項１に記載の撮像装置。
【請求項３】
前記スライド方向において前記スライダーを前記ホルダーの第１の保持用係合部及び第２の保持用係合部に係合させる方向へ付勢する付勢バネを設けた
請求項２に記載の撮像装置。
【請求項４】
前記スライダー及び前記移動部材の前記移動方向と前記ハンマーの前記スライド方向を同一の方向とし、
前記ホルダーに前記ハンマーを前記スライド方向へ移動自在に支持した
請求項２に記載の撮像装置。
【請求項５】
前記スライド方向において前記作動部材の同一の方向への加速度の発生により前記レンズカバーが前記開放位置から前記閉塞位置又は前記閉塞位置から前記開放位置に移動されるようにした
請求項１に記載の撮像装置。
【発明の詳細な説明】
【技術分野】
【０００１】
本発明は撮像装置についての技術分野に関する。詳しくは、加速度を生じる作動部材を設け該作動部材に一定以上の加速度が生じたときにレンズカバーを開閉して使い勝手の向上等を図る技術分野に関する。
【背景技術】
【０００２】
スチルカメラ等の撮像装置には、被写体を撮影するための撮影レンズが配置された装置本体と、該装置本体にスライド可能に支持され装置本体に対してスライドされることにより撮影レンズを開閉するレンズカバーとが設けられたものがある（例えば、特許文献１参照）。
【０００３】
特許文献１に記載された撮像装置にあっては、撮影時にレンズカバーを手動により一方向へスライドさせて撮影レンズを開放し、撮影が終了したときにレンズカバーを手動により反対方向へスライドさせて撮影レンズを閉塞する。このようにレンズカバーをスライドさせて撮影レンズを閉塞することにより、非撮影時における撮影レンズの保護及び撮影レンズへの塵埃等の付着を防止することができる。
【０００４】
【特許文献１】特開２００５−１１５１０９号公報
【発明の開示】
【発明が解決しようとする課題】
【０００５】
ところが、特許文献１に記載された撮像装置にあっては、レンズカバーのスライド動作を手動により行う必要があり、面倒であり使い勝手が悪いと言う問題がある。
【０００６】
また、撮影を開始する前に指をレンズカバーに宛い、宛った指を動かしてレンズカバーをスライドさせることにより撮影が可能な状態とされるため、撮影前におけるレンズカバーのスライド作業に時間がかかり撮影機会を逸してしまうおそれもある。
【０００７】
そこで、本発明撮像装置は、上記した問題点を克服し、レンズカバーの開閉が容易に行われるようにして使い勝手の向上等を図ることを課題とする。
【課題を解決するための手段】
【０００８】
撮像装置は、上記した課題を解決するために、被写体を撮影するための撮影レンズが配置された装置本体と、前記装置本体に所定の方向へスライド自在に支持されると共に前記所定の方向へスライドされて前記撮影レンズを開放する開放位置又は前記撮影レンズを閉塞する閉塞位置に移動されるレンズカバーとを備え、前記装置本体に、該装置本体が前記レンズカバーの前記スライド方向へ移動されたときに該スライド方向へ移動されて加速度を生じる作動部材を配置し、前記作動部材に一定以上の加速度が生じたときに前記レンズカバーが前記装置本体に対して前記所定の方向へスライドされて前記開放位置又は前記閉塞位置に移動されるようにしたものである。
【０００９】
従って、撮像装置にあっては、装置本体をレンズカバーのスライド方向へ移動させて作動部材に一定以上の加速度を生じさせることによりレンズカバーが装置本体に対してスライドされる。
【００１０】
上記した撮像装置においては、前記作動部材として接触部を有するハンマーを用い、前記レンズカバーを前記閉塞位置に保持するための第１の保持用係合部と前記レンズカバーを前記開放位置に保持するための第２の保持用係合部とを有するホルダーと、前記ホルダーに所定の移動方向へ移動自在に支持されると共に前記ハンマーが前記スライド方向へ移動されたときに前記ハンマーの接触部が衝突されて前記移動方向へ移動される移動部材と、前記ホルダーに前記所定の移動方向へ移動自在に支持されると共に前記移動部材が前記ハンマーの衝突によって前記移動方向へ移動されたときに前記移動方向へ移動され前記接触部の前記移動部材への衝突毎に前記第１の保持用係合部と前記第２の保持用係合部に対する係合が交互に行われるスライダーとを設け、前記レンズカバーが前記スライダーの前記所定の方向への移動に応じて前記スライド方向へスライドされ前記第１の保持用係合部又は前記第２の保持用係合部に対する前記スライダーの係合状態に応じて前記レンズカバーが前記閉塞位置又は前記開放位置に保持されるようにすることが望ましい。
【００１１】
撮像装置を上記のような構成とすることにより、ハンマーに加速度を生じさせることにより、レンズカバーが閉塞位置又は開放位置に保持される。
【００１２】
上記した撮像装置においては、前記スライド方向において前記スライダーを前記ホルダーの第１の保持用係合部及び第２の保持用係合部に係合させる方向へ付勢する付勢バネを設けることが望ましい。
【００１３】
スライダーをホルダーの第１の保持用係合部及び第２の保持用係合部に係合させる方向へ付勢する付勢バネを設けることにより、付勢バネの付勢力によってスライダーが第１の保持用係合部又は第２の保持用係合部に係合される。
【００１４】
上記した撮像装置においては、前記スライダー及び前記移動部材の前記移動方向と前記ハンマーの前記スライド方向を同一の方向とし、前記ホルダーに前記ハンマーを前記スライド方向へ移動自在に支持することが望ましい。
【００１５】
ホルダーにハンマーをスライド方向へ移動自在に支持することにより、ハンマーとスライダーと移動部材が同一の部材であるホルダーに支持される。
【００１６】
上記した撮像装置においては、前記スライド方向において前記作動部材の同一の方向への加速度の発生により前記レンズカバーが前記開放位置から前記閉塞位置又は前記閉塞位置から前記開放位置に移動されるようにすることが望ましい。
【００１７】
作動部材の同一の方向への加速度の発生によりレンズカバーが閉塞位置又は開放位置に移動されるようにすることにより、撮像装置を常に同一方向へ移動させることによりレンズカバーが開閉される。
【発明の効果】
【００１８】
本発明撮像装置は、被写体を撮影するための撮影レンズが配置された装置本体と、前記装置本体に所定の方向へスライド自在に支持されると共に前記所定の方向へスライドされて前記撮影レンズを開放する開放位置又は前記撮影レンズを閉塞する閉塞位置に移動されるレンズカバーとを備え、前記装置本体に、該装置本体が前記レンズカバーの前記スライド方向へ移動されたときに該スライド方向へ移動されて加速度を生じる作動部材を配置し、前記作動部材に一定以上の加速度が生じたときに前記レンズカバーが前記装置本体に対して前記所定の方向へスライドされて前記開放位置又は前記閉塞位置に移動されるようにしている。
【００１９】
従って、レンズカバーのスライド動作を手動により行う必要がなく、撮像装置の使い勝手の向上を図ることができる。
【００２０】
また、撮影を開始する前に指をレンズカバーに宛って開放位置へ動かす必要がないため、撮影前におけるレンズカバーのスライド動作を迅速に行うことができ、撮影機会を素早く確保することができる。
【００２１】
請求項２に記載した発明にあっては、前記作動部材として接触部を有するハンマーを用い、前記レンズカバーを前記閉塞位置に保持するための第１の保持用係合部と前記レンズカバーを前記開放位置に保持するための第２の保持用係合部とを有するホルダーと、前記ホルダーに所定の移動方向へ移動自在に支持されると共に前記ハンマーが前記スライド方向へ移動されたときに前記ハンマーの接触部が衝突されて前記移動方向へ移動される移動部材と、前記ホルダーに前記所定の移動方向へ移動自在に支持されると共に前記移動部材が前記ハンマーの衝突によって前記移動方向へ移動されたときに前記移動方向へ移動され前記接触部の前記移動部材への衝突毎に前記第１の保持用係合部と前記第２の保持用係合部に対する係合が交互に行われるスライダーとを設け、前記レンズカバーが前記スライダーの前記所定の方向への移動に応じて前記スライド方向へスライドされ前記第１の保持用係合部又は前記第２の保持用係合部に対する前記スライダーの係合状態に応じて前記レンズカバーが前記閉塞位置又は前記開放位置に保持されるようにしている。
【００２２】
従って、レンズカバーの動作が簡素であると共に利便性の向上を図ることができる。
【００２３】
請求項３に記載した発明にあっては、前記スライド方向において前記スライダーを前記ホルダーの第１の保持用係合部及び第２の保持用係合部に係合させる方向へ付勢する付勢バネを設けている。
【００２４】
従って、レンズカバーを閉塞位置及び開放位置に確実に保持することができる。
【００２５】
請求項４に記載した発明にあっては、前記スライダー及び前記移動部材の前記移動方向と前記ハンマーの前記スライド方向を同一の方向とし、前記ホルダーに前記ハンマーを前記スライド方向へ移動自在に支持している。
【００２６】
従って、ハンマーとスライダーと移動部材を各別に保持する専用の部材をそれぞれ必要とせず、部品点数の削減を図ることができる。
【００２７】
請求項５に記載した発明にあっては、前記スライド方向において前記作動部材の同一の方向への加速度の発生により前記レンズカバーが前記開放位置から前記閉塞位置又は前記閉塞位置から前記開放位置に移動されるようにしている。
【００２８】
従って、レンズカバーを開閉させるときに撮像装置を常に同一方向へ移動させればよく、使い勝手の向上を図ることができる。
【発明を実施するための最良の形態】
【００２９】
以下に、本発明撮像装置の実施の形態を添付図面に従って説明する。
【００３０】
以下に示した実施の形態は、本発明撮像装置をスチルカメラに適用したものである。尚、本発明の適用範囲はスチルカメラに限られることはなく、装置本体に対してスライドされるレンズカバーを有する他の撮像装置に広く適用することができる。
【００３１】
以下の説明にあっては、スチルカメラの撮影時において撮影者（使用者）から見た方向で前後上下左右の方向を示すものとする。従って、被写体側を前方とし、撮影者側を後方とする。
【００３２】
尚、以下に示す前後上下左右の方向は説明の便宜上のものであり、本発明の実施に関しては、これらの方向に限定されることはない。
【００３３】
［全体構成］
撮像装置（スチルカメラ）１は、図１乃至図４に示すように、装置本体２と該装置本体２の前面２ａにスライド自在に支持されたレンズカバー３と装置本体２の後面２ｂにスライド自在に支持されたパネルカバー４とによって構成されている。
【００３４】
装置本体２は外筐５に所要の各部が配置されて成る。
【００３５】
外筐５は後方に開口され箱状に形成されたフロントケース６と前方に開口され箱状に形成されたリアケース７とが前後で結合されて成る。
【００３６】
フロントケース６は、右端側の部分が他の部分より前方へ突出された機構配置部６ａとして設けられ、該機構配置部６ａの側方の部分が凹部６ｂとして形成されている。
【００３７】
フロントケース６には、図５に示すように、機構配置部６ａの背面に後方へ突出された取付ボス６ｃ、６ｃが左右に離隔して設けられている。
【００３８】
フロントケース６には凹部６ｂに、縦長の案内用孔６ｄ、６ｄが左右に離隔して形成され、該案内用孔６ｄ、６ｄの左右にそれぞれ突部挿通孔６ｅ、６ｆが形成されている。突部挿通孔６ｅは上下に長く形成され、突部挿通孔６ｆは大きく開口されている。
【００３９】
フロントケース６の背面の下端部には左右方向における略中央部にバネ掛け突部６ｇが設けられている。
【００４０】
リアケース７には、前後に貫通されたパネル配置孔７ａが形成されている（図４参照）。
【００４１】
装置本体２の前面２ａには、図２に示すように、凹部６ｂの上端部にフラッシュ８、赤外線発光部９及び被写体を撮影するための撮影レンズ１０が左右に並んで設けられている。
【００４２】
装置本体２の上面２ｃには、図１乃至図４に示すように、複数の操作部１１、１１、・・・、例えば、シャッター釦、電源釦、ズーム摘子等が配置されている。
【００４３】
装置本体２の後面２ｂには複数の操作部１２、１２、・・・、例えば、モード切替ダイヤル、機能実行釦等が配置されている。
【００４４】
［フロントケース側の内部構造］
フロントケース６の背面には支持プレート１３が取り付けられている（図５及び図６参照）。支持プレート１３には、左端寄りの位置に左右に離隔して上下に長い案内孔１３ａ、１３ａが形成され、左端部と右端寄りの位置にそれぞれ上下に長い挿通孔１３ｂ、１３ｂが形成されている。支持プレート１３の右端部における上端部には左右に延びるガイド孔１３ｃが形成されている。支持プレート１３は、案内孔１３ａ、１３ａ、挿通孔１３ｂ、１３ｂがそれぞれフロントケース６の案内用孔６ｄ、６ｄ、突部挿通孔６ｅ、６ｆに対応した状態でフロントケース６の背面に取り付けられている。
【００４５】
支持プレート１３には支持アーム１４が回動自在に支持される。支持アーム１４は左右に長く形成され、左右両端部にそれぞれ前方又は後方へ突出された連結ピン１４ａ、１４ｂを有している。支持アーム１４の中間部には後方へ突出された被支持ピン１４ｃが設けられている。支持アーム１４は被支持ピン１４ｃが支持プレート１３のガイド孔１３ｃに挿通され、被支持ピン１４ｃを支点として
支持プレート１３に回動自在に支持される。
【００４６】
支持アーム１４の右側の連結ピン１４ｂはスライダー１５に連結されている。スライダー１５はスライドプレート１６と該スライドプレート１６に回転自在に連結されたスライド軸１７とから成る。
【００４７】
スライドプレート１６は、図７及び図８に示すように、第１のプレート１８と該第１のプレート１８の右端部から前方へ突出された第２のプレート１９とから成る。
【００４８】
スライドプレート１６には第１のプレート１８と第２のプレート１９の間に、左方又は右方に開口され上下に延びる被支持溝１６ａ、１６ａが形成されている。
【００４９】
第１のプレート１８は横倒しの略Ｌ字状に形成され、右端部における上端寄りの位置に右方へ突出された連結突部１８ａが設けられている。第１のプレート１８の右端部には前後に貫通されたピン支持孔１８ｂが形成されている。第１のプレート１８の左端部における下端部にはバネ掛け孔１８ｃが形成されている。
【００５０】
スライド軸１７は上下方向に延びる略丸軸状に形成され、上端部に周方向に延びる連結溝１７ａが形成されている。スライド軸１７には上端部を除く部分の外周面に、上下に延びる被案内突条１７ｂ、１７ｂ、１７ｂが設けられている。被案内突条１７ｂ、１７ｂ、１７ｂは周方向に等間隔に離隔して設けられ、それぞれ下端が水平方向に対して同じ方向へ傾斜されている。
【００５１】
スライド軸１７の下端部には鋸歯状の突歯部１７ｃ、１７ｃ、・・・が周方向に連続して設けられている。突歯部１７ｃ、１７ｃ、・・・は、例えば、六つ設けられ、下方へ凸の二等辺三角形状に形成され、斜面が、例えば、水平方向に対して４５°にされている。従って、突歯部１７ｃ、１７ｃ、・・・は、図７に示すように、それぞれ頂点１７ｄ、１７ｄ、・・・が最も下方に位置し、突歯部１７ｃ、１７ｃ、・・・同士の境界点となる底点１７ｅ、１７ｅ、・・・が最も上方に位置し、頂点１７ｄ、１７ｄ、・・・と底点１７ｅ、１７ｅ、・・・間の部分が斜面１７ｆ、１７ｆ、・・とされる。
【００５２】
スライド軸１７は連結溝１７ａにスライドプレート１６における第１のプレート１８の連結突部１８ａが摺動自在に連結されることにより、スライドプレート１６に軸方向へ回転自在に連結される（図８参照）。
【００５３】
スライド軸１７には移動部材２０が係合可能とされている（図７及び図８参照）。
【００５４】
移動部材２０は軸方向が上下方向とされ下面が閉塞された略円環状に形成され、上端部に鋸歯状の突歯状部２０ａ、２０ａ、・・・が周方向に連続して設けられている。突歯状部２０ａ、２０ａ、・・・は、例えば、六つ設けられ、上方へ凸の二等辺三角形状に形成され、斜面が、例えば、水平方向に対して４５°にされている。従って、突歯状部２０ａ、２０ａ、・・・は、図７に示すように、それぞれ頂点２０ｂ、２０ｂ、・・・が最も上方に位置し、突歯状部２０ａ、２０ａ、・・・同士の境界点となる底点２０ｃ、２０ｃ、・・・が最も下方に位置し、頂点２０ｂ、２０ｂ、・・・と底点２０ｃ、２０ｃ、・・・間の部分が斜面２０ｄ、２０ｄ、・・とされる。
【００５５】
移動部材２０には上端部を除く部分の外周面に、上下に延びる被ガイド突条２０ｅ、２０ｅ、・・・が設けられている。被ガイド突条２０ｅ、２０ｅ、・・・は周方向に等間隔に離隔して設けられている。
【００５６】
移動部材２０は上下方向へ移動されて加速度を生じる作動部材として機能するハンマー２１に下方から衝突される。ハンマー２１は、図５及び図６に示すように、略ブロック状に形成された基部２１ａと該基部２１ａから上方へ突出された丸軸状の接触部２１ｂとが一体に形成されて成り、例えば、金属材料等の比重の大きな材料によって形成されている。
【００５７】
スライドプレート１６、スライド軸１７、移動部材２０及びハンマー２１はホルダー２２に上下方向へ移動自在に支持される。
【００５８】
ホルダー２２は、図５及び図９に示すように、下方に開口された箱状のケース状支持部２３と、該ケース状支持部２３からそれぞれ上方へ突出された筒状支持部２４、支持突部２５及び被取付部２６とが一体に形成されて成る。
【００５９】
筒状支持部２４はケース状支持部２３の上面の左右方向における略中央部から上方へ突出され、略円筒状に形成されている。
【００６０】
筒状支持部２４の略下側の半部の内面には、図９乃至図１２に示すように、上下に延びる案内溝２４ａ、２４ａ、・・・が周方向に等間隔に離隔して形成されている。案内溝２４ａ、２４ａ、・・・は、移動部材２０の被ガイド突条２０ｅ、２０ｅ、・・・の数に対応して、例えば、六つ形成されている。
【００６１】
筒状支持部２４における案内溝２４ａ、２４ａ、・・・間の部分は上下に延びる突状部２７、２７、・・・として設けられている。突状部２７、２７、・・・は筒状支持部２４の中心方向へ突出され、図９に示すように、各上面が水平方向に対して所定の角度同じ方向に傾斜された傾斜面２７ａ、２７ａ、・・・として形成されている。
【００６２】
筒状支持部２４の下端部には案内溝２４ａ、２４ａ、・・・の底面が位置され、該底面がストッパー面２４ｂ、２４ｂ、・・・として形成されている。
【００６３】
筒状支持部２４には案内溝２４ａ、２４ａ、・・・の上下方向における中間部に、段差状の第１の保持用係合部２４ｃ、２４ｃ、２４ｃが形成されている（図９及び図１０参照）。第１の保持用係合部２４ｃ、２４ｃ、２４ｃは案内溝２４ａ、２４ａ、・・・に一つおきに形成されている。
【００６４】
筒状支持部２４には案内溝２４ａ、２４ａ、・・・の上端部に、段差状の第２の保持用係合部２４ｄ、２４ｄ、２４ｄが形成されている（図９及び図１１参照）。第２の保持用係合部２４ｄ、２４ｄ、２４ｄはそれぞれ第１の保持用係合部２４ｃ、２４ｃ、２４ｃが形成されていない案内溝２４ａ、２４ａ、２４ａに形成されている。
【００６５】
筒状支持部２４の略上側半分の部分には左方に開口された支持スリット２４ｅが形成されている（図５及び図９参照）。筒状支持部２４の外周面には左方へ突出され上下方向を向く案内壁部２４ｆが設けられている。
【００６６】
支持突部２５はケース状支持部２３の上面の筒状支持部２４の左側の位置から上方へ突出されて設けられ、上端が筒状支持部２４の上端に一致されている。支持突部２５には右方へ突出され上下方向を向く案内壁部２５ａが設けられ、該案内壁部２５ａは筒状支持部２４の案内壁部２４ｆの左側に離隔して位置されている。
【００６７】
被取付部２６はケース状支持部２３の後面部から上方へ突出された板状に形成されている。
【００６８】
ハンマー２１はケース状支持部２３の内部において上下方向へ移動自在に支持される（図１３参照）。ハンマー２１は上方へ移動されたときに接触部２１ｂがケース状支持部２３から筒状支持部２４の内部に挿入可能とされている。
【００６９】
移動部材２０は筒状支持部２４の内部の下側の略半部において上下方向へ移動自在に支持される。移動部材２０は被ガイド突条２０ｅ、２０ｅ、・・・がそれぞれ案内溝２４ａ、２４ａ、・・・に摺動自在に支持される。移動部材２０は筒状支持部２４の下側の略半部において上下方向へ移動自在に支持されているため、被ガイド突条２０ｅ、２０ｅ、・・・の案内溝２４ａ、２４ａ、・・・に対する支持状態が解除されることはなく、筒状支持部２４に対して軸方向へ回転されない。
【００７０】
スライダー１５は、スライドプレート１６が筒状支持部２４と支持突部２５に上下方向へ移動自在に支持され、スライド軸１７が筒状支持部２４の内部の下端部を除く部分において上下方向へ移動自在に支持される。
【００７１】
スライドプレート１６は被支持溝１６ａ、１６ａにそれぞれ筒状支持部２４の案内壁部２４ｆと支持突部２５の案内壁部２５ａが摺動自在に係合され、筒状支持部２４と支持突部２５に上下方向へ移動自在に支持される。
【００７２】
スライド軸１７は被案内突条１７ｂ、１７ｂ、１７ｂがそれぞれ案内溝２４ａ、２４ａ、２４ａに摺動自在に支持される。スライド軸１７は上方へ移動されたときに、被案内突条１７ｂ、１７ｂ、１７ｂの案内溝２４ａ、２４ａ、２４ａに対する支持状態が解除される場合があり、この場合には筒状支持部２４に対して軸回り方向へ回転可能とされる。
【００７３】
スライド軸１７は被案内突条１７ｂ、１７ｂ、１７ｂが案内溝２４ａ、２４ａ、２４ａに支持されている状態において、被案内突条１７ｂ、１７ｂ、１７ｂが、第１の保持用係合部２４ｃ、２４ｃ、２４ｃが形成されている案内溝２４ａ、２４ａ、２４ａ又は第２の保持用係合部２４ｄ、２４ｄ、２４ｄが形成されている案内溝２４ａ、２４ａ、２４ａの何れかに支持される。
【００７４】
上記のように、スライドプレート１６、スライド軸１７、移動部材２０及びハンマー２１が支持されたホルダー２２は、被取付部２６がネジ止め等によってフロントケース６の背面に設けられた取付ボス６ｃ、６ｃに取り付けられる。従って、ホルダー２２はフロントケース６における機構配置部６ａの内部に配置される。
【００７５】
ホルダー２２が機構配置部６ａに配置された状態において、引張コイルバネである付勢バネ２８がフロントケース６に設けられたバネ掛け突部６ｇとスライドプレート１６に形成されたバネ掛け孔１８ｃとの間に支持される。従って、スライドプレート１６は付勢バネ２８によって下方へ付勢される。
【００７６】
また、ホルダー２２が機構配置部６ａに配置された状態において、スライドプレート１６に形成されたピン支持孔１８ｂに支持アーム１４の右側の連結ピン１４ｂが挿入され、支持アーム１４を介して支持プレート１３とスライドプレート１６が連結される。
【００７７】
［レンズカバー］
レンズカバー３は前後方向を向く略板状に形成された開閉板２９と該開閉板２９の背面に設けられた各部とによって構成されている（図５参照）。
【００７８】
開閉板２９の背面には左右に離隔して被案内突部３０、３０が設けられている。被案内突部３０、３０にはそれぞれ開閉板２９の背面から後方に離隔して位置する摺動係合部３０ａ、３０ａが設けられている。
【００７９】
開閉板２９の背面には被案内突部３０、３０の間に被案内ピン３１、３１が設けられ、該被案内ピン３１、３１は開閉板２９から後方へ突出され左右に離隔して設けられている。
【００８０】
開閉板２９の背面には被案内ピン３１、３１と右側の被案内突部３０との間に連結板３２が設けられている。連結板３２には開閉板２９の背面から後方に離隔して位置する連結面部３２ａが設けられ、該連結面部３２ａに左右に延びる連結孔３２ｂが形成されている。
【００８１】
レンズカバー３は、被案内突部３０、３０がそれぞれフロントケース６の突部挿通孔６ｅ、６ｆに前方から挿通されて摺動係合部３０ａ、３０ａがそれぞれ支持プレート１３の挿通孔１３ｂ、１３ｂの後側開口縁に摺動自在に係合される。同時に、レンズカバー３は、被案内ピン３１、３１がそれぞれフロントケース６の案内用孔６ｄ、６ｄに前方から挿入されて支持プレート１３の案内孔１３ａ、１３ａに摺動自在に係合される。
【００８２】
このときレンズカバー３は、連結板３２がフロントケース６の右側に位置する突部挿通孔６ｆに挿入され、連結孔３２ｂに支持アーム１４の左側の連結ピン１４ａが挿入されて支持アーム１４を介してスライダー１５に連結される。従って、スライダー１５が上下方向へ移動されると、支持アーム１４が被支持ピン１４ｃを支点として回動され、被案内突部３０、３０と被案内ピン３１、３１がそれぞれ支持プレート１３の挿通孔１３ｂ、１３ｂと案内孔１３ａ、１３ａに案内されてレンズカバー３が装置本体２に対して上下方向へ移動される。
【００８３】
レンズカバー３の上方側の移動端は、フラッシュ８、赤外線発光部９及び撮影レンズ１０を閉塞する閉塞位置とされ（図１参照）、レンズカバー３の下方側の移動端に寄った位置には、フラッシュ８、赤外線発光部９及び撮影レンズ１０を開放する開放位置とされる（図２参照）。
【００８４】
［レンズカバーのスライド動作］
以下に、レンズカバー３のスライド動作について説明する（図１３乃至図２３参照）。
【００８５】
先ず、レンズカバー３の閉塞位置における各部の状態について説明する（図１３及び図１４参照）。
【００８６】
ハンマー２１は下方側の移動端に位置され、フロントケース６の下面部の内面に載置されている（図１３参照）。
【００８７】
移動部材２０は下方側の移動端に位置され、被ガイド突条２０ｅ、２０ｅ、・・・の下面がそれぞれホルダー２２の筒状支持部２４に設けられたストッパー面２４ｂ、２４ｂ、・・・に接して下方への移動が規制されている。
【００８８】
スライダー１５は付勢バネ２８によって下方へ付勢され、スライドプレート１６及びスライド軸１７が何れも下方側の移動端に位置されている。
【００８９】
スライド軸１７は被案内突条１７ｂ、１７ｂ、１７ｂの下縁がそれぞれホルダー２２の筒状支持部２４に設けられた第１の保持用係合部２４ｃ、２４ｃ、２４ｃに接して下方への移動が規制されている。このときスライド軸１７は、図１４に示すように、突歯部１７ｃ、１７ｃ、・・・が移動部材２０の突歯状部２０ａ、２０ａ、・・・に近接して位置され、突歯部１７ｃ、１７ｃ、・・・の頂点１７ｄ、１７ｄ、・・・がそれぞれ突歯状部２０ａ、２０ａ、・・・の頂点２０ｂ、２０ｂ、・・・の真上より僅かに周方向にずれた位置にある。
【００９０】
支持アーム１４はスライドプレート１６が下方側の移動端に位置されているため、略水平な状態に保持されている。
【００９１】
レンズカバー３が閉塞位置にある状態において、ハンマー２１に一定以上の加速度が生じると、該ハンマー２１が上方へ移動される。ハンマー２１の一定以上の加速度は、撮影者（使用者）が撮像装置１を把持して該撮像装置１に上方への移動力を付与したときに生じる。例えば、撮影者がポケットやバッグ等から撮像装置１を取り出すときに撮像装置１を下方から上方へ振り上げたときに生じる。
【００９２】
ハンマー２１が上方へ移動されると、接触部２１ｂが筒状支持部２４の内部に下方から挿入され該接触部２１ｂによって移動部材２０が押圧されて上方へ移動される（図１５参照）。移動部材２０が上方へ移動されると、突歯状部２０ａ、２０ａ、・・・の頂点２０ｂ、２０ｂ、・・・付近の部分がそれぞれスライド軸１７の突歯部１７ｃ、１７ｃ、・・・における頂点１７ｄ、１７ｄ、・・・付近の部分に接触しスライド軸１７が上方へ移動される（図１６参照）。スライド軸１７の移動により一体となってスライドプレート１６が付勢バネ２８の付勢力に抗して上方へ移動され、支持アーム１４が被支持ピン１４ｃを支点として回動され、レンズカバー３が閉塞位置から開放位置へ向けて下方へ移動される。
【００９３】
スライド軸１７及びスライドプレート１６が上方へ移動され該スライドプレート１６の上面がフロントケース６の上面部の内面に接することによりスライダー１５が上方の移動端まで移動される（図１７参照）。このときレンズカバー３は開放位置を越えて下方まで移動される。
【００９４】
スライダー１５が上方の移動端まで移動されるときには、スライド軸１７は上方への移動途中において、被案内突条１７ｂ、１７ｂ、１７ｂの下端が案内溝２４ａ、２４ａ、２４ａの上方まで移動され、被案内突条１７ｂ、１７ｂ、１７ｂの案内溝２４ａ、２４ａ、２４ａに対する支持状態が解除される。
【００９５】
被案内突条１７ｂ、１７ｂ、１７ｂの案内溝２４ａ、２４ａ、２４ａに対する支持状態が解除されると、移動部材２０の突歯状部２０ａ、２０ａ、・・・の斜面２０ｄ、２０ｄ、・・・にスライド軸１７の突歯部１７ｃ、１７ｃ、・・・の斜面１７ｆ、１７ｆ、・・・が摺動される（図１８参照）。移動部材２０の斜面２０ｄ、２０ｄ、・・・にスライド軸１７の斜面１７ｆ、１７ｆ、・・・が摺動されることにより、スライド軸１７が軸回り方向へ回転される。スライド軸１７は突歯部１７ｃ、１７ｃ、・・・の頂点１７ｄ、１７ｄ、・・・がそれぞれ移動部材２０の突歯状部２０ａ、２０ａ、・・・の頂点２０ｂ、２０ｂ、・・・に一致されるまで軸回り方向へ回転される（図１９参照）。
【００９６】
上記のようにハンマー２１、移動部材２０及びスライダー１５が上方へ移動された後に、ハンマー２１、移動部材２０及びスライダー１５は自重及び付勢バネ２８の付勢力によって下方へ移動されて行く。
【００９７】
スライダー１５が下方へ移動されて行くと、支持アーム１４の回動動作に伴ってレンズカバー３が上方へ移動されて行く。
【００９８】
スライダー１５及び移動部材２０が下方へ移動されて行くときには、移動部材２０は案内溝２４ａ、２４ａ、・・・に案内されて下方へ移動されるが、スライド軸１７は軸回り方向へ回転されているため、被案内突条１７ｂ、１７ｂ、１７ｂの下縁がそれぞれ突状部２７、２７、２７の傾斜面２７ａ、２７ａ、２７ａに接する（図２０参照）。
【００９９】
スライド軸１７は引き続き付勢バネ２８の付勢力によって下方へ移動されて行くため、被案内突条１７ｂ、１７ｂ、１７ｂの下縁がそれぞれ傾斜面２７ａ、２７ａ、２７ａに摺動され、スライド軸１７はさらに軸回り方向へ回転される（図２１参照）。
【０１００】
スライド軸１７が所定の位置まで軸回り方向へ回転されると、被案内突条１７ｂ、１７ｂ、１７ｂの傾斜面２７ａ、２７ａ、２７ａに対する摺動状態が解除される（図２２参照）。従って、スライド軸１７は被案内突条１７ｂ、１７ｂ、１７ｂがそれぞれ案内溝２４ａ、２４ａ、２４ａに挿入され、付勢バネ２８の付勢力によってさらに下方へ移動されて行く。
【０１０１】
下方へ移動されたスライド軸１７は被案内突条１７ｂ、１７ｂ、１７ｂの下縁がそれぞれホルダー２２の筒状支持部２４に設けられた第２の保持用係合部２４ｄ、２４ｄ、２４ｄに接して下方への移動が規制される（図２３参照）。このときスライド軸１７と一体となってスライドプレート１６が下方へ移動されており、支持アーム１４の回動動作に伴ってレンズカバー３が上方へ移動され、該レンズカバー３は開放位置まで移動される。従って、フラッシュ８、赤外線発光部９及び撮影レンズ１０が開放される。
【０１０２】
レンズカバー３が開放位置に移動された状態においては、ハンマー２１及び移動部材２０がそれぞれ下方側の移動端に移動されている。
【０１０３】
また、レンズカバー３が開放位置に移動された状態においては、図２４に示すように、スライド軸１７は移動部材２０の上方に離隔して位置され、突歯部１７ｃ、１７ｃ、・・・の頂点１７ｄ、１７ｄ、・・・がそれぞれ突歯状部２０ａ、２０ａ、・・・の頂点２０ｂ、２０ｂ、・・・の真上より僅かに周方向にずれた位置にある。
【０１０４】
レンズカバー３が上記した開放位置にある状態において、再び、ハンマー２１に一定以上の加速度が生じると、該ハンマー２１が上方へ移動される。ハンマー２１の一定以上の加速度は、レンズカバー３の開放時と同様に、撮影者が撮像装置１を把持して該撮像装置１に上方への移動力を付与したときに生じる。
【０１０５】
ハンマー２１が上方へ移動されると、接触部２１ｂが筒状支持部２４の内部に下方から挿入され該接触部２１ｂによって移動部材２０が押圧されて上方へ移動される。移動部材２０が上方へ移動されると、突歯状部２０ａ、２０ａ、・・・の頂点２０ｂ、２０ｂ、・・・付近の部分がそれぞれスライド軸１７の突歯部１７ｃ、１７ｃ、・・・における頂点１７ｄ、１７ｄ、・・・付近の部分に接触しスライド軸１７が上方へ移動される。スライド軸１７の移動により一体となってスライドプレート１６が付勢バネ２８の付勢力に抗して上方へ移動され、支持アーム１４が被支持ピン１４ｃを支点として回動され、レンズカバー３が開放位置から下方へ移動される。
【０１０６】
スライダー１５は上方の移動端まで移動される。スライダー１５が上方の移動端まで移動されるときには、スライド軸１７は上方への移動途中において、被案内突条１７ｂ、１７ｂ、１７ｂの下端が案内溝２４ａ、２４ａ、２４ａの上方まで移動され、被案内突条１７ｂ、１７ｂ、１７ｂの案内溝２４ａ、２４ａ、２４ａに対する支持状態が解除される。
【０１０７】
被案内突条１７ｂ、１７ｂ、１７ｂの案内溝２４ａ、２４ａ、２４ａに対する支持状態が解除されると、移動部材２０の突歯状部２０ａ、２０ａ、・・・の斜面２０ｄ、２０ｄ、・・・にスライド軸１７の突歯部１７ｃ、１７ｃ、・・・の斜面１７ｆ、１７ｆ、・・・が摺動される。移動部材２０の斜面２０ｄ、２０ｄ、・・・にスライド軸１７の斜面１７ｆ、１７ｆ、・・・が摺動されることにより、スライド軸１７が軸回り方向へ回転される。スライド軸１７は突歯部１７ｃ、１７ｃ、・・・の頂点１７ｄ、１７ｄ、・・・がそれぞれ移動部材２０の突歯状部２０ａ、２０ａ、・・・の頂点２０ｂ、２０ｂ、・・・に一致されるまで軸回り方向へ回転される。
【０１０８】
上記のようにハンマー２１、移動部材２０及びスライダー１５が上方へ移動された後に、ハンマー２１、移動部材２０及びスライダー１５は自重及び付勢バネ２８の付勢力によって下方へ移動されて行く。
【０１０９】
スライダー１５が下方へ移動されて行くと、支持アーム１４の回動動作に伴ってレンズカバー３が閉塞位置へ向けて上方へ移動されて行く。
【０１１０】
スライダー１５及び移動部材２０が下方へ移動されて行くときには、移動部材２０は案内溝２４ａ、２４ａ、・・・に案内されて下方へ移動されるが、スライド軸１７は軸回り方向へ回転されているため、被案内突条１７ｂ、１７ｂ、１７ｂの下縁がそれぞれ突状部２７、２７、２７の傾斜面２７ａ、２７ａ、２７ａに接する。
【０１１１】
スライド軸１７は引き続き付勢バネ２８の付勢力によって下方へ移動されて行くため、被案内突条１７ｂ、１７ｂ、１７ｂの下縁がそれぞれ傾斜面２７ａ、２７ａ、２７ａに摺動され、スライド軸１７はさらに軸回り方向へ回転される。
【０１１２】
スライド軸１７が所定の位置まで軸回り方向へ回転されると、被案内突条１７ｂ、１７ｂ、１７ｂの傾斜面２７ａ、２７ａ、２７ａに対する摺動状態が解除される。従って、スライド軸１７は被案内突条１７ｂ、１７ｂ、１７ｂがそれぞれ案内溝２４ａ、２４ａ、２４ａに挿入され、付勢バネ２８の付勢力によってさらに下方へ移動されて行く。
【０１１３】
下方へ移動されたスライド軸１７は被案内突条１７ｂ、１７ｂ、１７ｂの下縁がそれぞれホルダー２２の筒状支持部２４に設けられた第１の保持用係合部２４ｃ、２４ｃ、２４ｃに接して下方への移動が規制される（図１３参照）。このときスライド軸１７と一体となってスライドプレート１６が下方へ移動されており、支持アーム１４の回動動作に伴ってレンズカバー３が上方へ移動され、該レンズカバー３は閉塞位置まで移動される。従って、フラッシュ８、赤外線発光部９及び撮影レンズ１０が閉塞される。
【０１１４】
レンズカバー３が閉塞位置に移動された状態においては、ハンマー２１及び移動部材２０がそれぞれ下方側の移動端に移動されている。
【０１１５】
また、レンズカバー３が閉塞位置に移動された状態においては、スライド軸１７は、再び、突歯部１７ｃ、１７ｃ、・・・が移動部材２０の突歯状部２０ａ、２０ａ、・・・に近接して位置される（図１４参照）。このときスライド軸１７の突歯部１７ｃ、１７ｃ、・・・の頂点１７ｄ、１７ｄ、・・・がそれぞれ移動部材２０の突歯状部２０ａ、２０ａ、・・・の頂点２０ｂ、２０ｂ、・・・の真上より僅かに周方向にずれた位置にある。
【０１１６】
以上に記載した通り、撮像装置１にあっては、作動部材として機能するハンマー２１に一定以上の加速度が生じたときに、レンズカバー３が装置本体２に対してスライドされ開放位置又は閉塞位置に移動される。
【０１１７】
従って、レンズカバー３のスライド動作を手動により行う必要がなく、撮像装置１の使い勝手の向上を図ることができる。
【０１１８】
また、撮影を開始する前に指をレンズカバー３に宛って開放位置へ動かす必要がないため、撮影前におけるレンズカバー３のスライド動作を迅速に行うことができ、撮影機会を素早く確保することができる。
【０１１９】
さらに、撮像装置１にあっては、ハンマー２１の移動によってスライダー１５とレンズカバー３が移動され、該スライダー１５のスライド軸１７が第１の保持用係合部２４ｃ、２４ｃ、２４ｃ又は第２の保持用係合部２４ｄ、２４ｄ、２４ｄに交互に係合されることにより、レンズカバー３が閉塞位置又は開放位置に保持される。
【０１２０】
従って、ハンマー２１に一定以上の加速度を生じさせることにより、レンズカバー３が交互に閉塞位置又は開放位置に保持されるため、レンズカバー３の動作が簡素であると共に利便性の向上を図ることができる。
【０１２１】
さらにまた、撮像装置１にあっては、移動部材２０を第１の保持用係合部２４ｃ、２４ｃ、２４ｃ及び第２の保持用係合部２４ｄ、２４ｄ、２４ｄに係合させる方向へ付勢する付勢バネ２８を設けているため、レンズカバー３を閉塞位置及び開放位置に確実に保持することができる。
【０１２２】
また、ホルダー２２にハンマー２１とスライダー１５と移動部材２０を移動自在に支持しているため、これらの各部材を各別に保持する専用の部材をそれぞれ必要とせず、部品点数の削減を図ることができる。
【０１２３】
加えて、撮像装置１にあっては、ハンマー２１に同一方向（上方）への加速度を発生させることによりレンズカバー３を開放位置及び閉塞位置にスライドさせることができるため、レンズカバー３を開閉させるときに撮像装置１を常に同一方向へ移動させればよく、使い勝手の向上を図ることができる。
【０１２４】
［リアケース側の内部構造］
外筐５の内部にはリアケース７側に保持シャーシ３３が配置されている（図２５及び図２６参照）。保持シャーシ３３には外周部を除く部分に後方に開口された配置用凹部３３ａが形成されている。保持シャーシ３３には配置用凹部３３ａの右端部における下端部に後方へ突出された支持ピン３３ｂが設けられている。
【０１２５】
保持シャーシ３３の配置凹部３３ａには表示パネル３４が配置されている。表示パネル３４は表示面３４ａがリアケース７の配置孔７ａに対応した位置に配置される。
【０１２６】
保持シャーシ３３の配置凹部３３ａには、表示パネル３４の上下両側にそれぞれガイドレール３５、３５が取り付けられている。ガイドレール３５、３５は左右方向に長く形成され、前側に位置する第１のレール部３６、３６と該第１のレール部３６、３６の上側又は下側の半部から後方へ突出された第２のレール部３７、３７とから成る。第１のレール部３６、３６には互いに対向する方向に開口された支持溝３６ａ、３６ａが形成され、第２のレール部３７、３７には互いに対向する方向に開口された支持溝３７ａ、３７ａが形成されている。
【０１２７】
ガイドレール３５、３５には上記したパネルカバー４が左右方向へ移動自在に支持される。パネルカバー４は第１のスライド体３８と第２のスライド体３９によって構成されている。
【０１２８】
第１のスライド体３８は第１の取付板４０と該第１の取付板４０の後面に取り付けられた第１の開閉板４１と第１の取付板４０の前面に取り付けられたクリーナー４２とから成る。
【０１２９】
第１の取付板４０は前後方向を向く取付面部４０ａと該取付面部４０ａの上下両端縁からそれぞれ前方へ突出された側面部４０ｂ、４０ｂと該側面部４０ｂ、４０ｂの前縁からそれぞれ外方へ突出された被支持面部４０ｃ、４０ｃとを有している。
【０１３０】
第１の取付板４０には、図２７及び図２８に示すように、側面部４０ｂ、４０ｂの外面と被支持面部４０ｃ、４０ｃの両面にそれぞれ摺動突部４０ｄ、４０ｄ、・・・が左右に離隔して設けられている。摺動突部４０ｄ、４０ｄ、・・・の各外面は外方へ凸の緩やかな曲面状に形成されている。
【０１３１】
第１の取付板４０には取付面部４０ａから右方へ突出された連結面部４０ｅが設けられている（図２５参照）。連結面部４０ｅは取付面部４０ａより稍前側に位置されている。
【０１３２】
第１の開閉板４１は第１の取付板４０の取付面部４０ａに取り付けられた被取付面部４１ａと該被取付面部４１ａの左側縁から後方へ突出された操作面部４１ｂとから成る。
【０１３３】
クリーナー４２は、例えば、ウレタンフォームであるポリマーシート４２ａの前面にポリエステル等によって形成されたクリーニング用のクロス４２ｂが貼り付けられて成る。クリーナー４２はポリマーシート４２ａが第１の取付板４０の取付面部４０ａの前面に接着等によって貼り付けられている。
【０１３４】
第２のスライド体３９は第２の取付板４３と該第２の取付板４３の後面に取り付けられた第２の開閉板４４とから成る。
【０１３５】
第２の取付板４３は前後方向を向く取付面部４３ａと該取付面部４３ａの上下両端縁からそれぞれ前方へ突出された側面部４３ｂ、４３ｂと該側面部４３ｂ、４３ｂの前縁からそれぞれ外方へ突出された被支持面部４３ｃ、４３ｃとを有している。
【０１３６】
第２の取付板４３には、図２７及び図２８に示すように、側面部４３ｂ、４３ｂの外面と被支持面部４３ｃ、４３ｃの両面にそれぞれ摺動突部４３ｄ、４３ｄ、・・・が左右に離隔して設けられている。摺動突部４３ｄ、４３ｄ、・・・の各外面は外方へ凸の緩やかな曲面状に形成されている。
【０１３７】
第２の取付板４３には取付面部４３ａの右側縁から前方へ突出された突面部４３ｅと該突面部４３ｅの前縁から右方へ突出された連結面部４３ｆとが設けられている。突面部４３ｅには上下に延びるアーム挿通孔４３ｇが形成され、連結面部４３ｆには上下に延びる連結支持孔４３ｈが形成されている。
【０１３８】
第２の開閉板４１は第２の取付板４３の取付面部４３ａの後面に取り付けられている。
【０１３９】
第１のスライド体３８と第２のスライド体３９は第１の連結アーム４５と第２の連結アーム４６によって連結されている（図２７参照）。
【０１４０】
第１の連結アーム４５は、第２の取付板４３のアーム挿通孔４３ｇを挿通された状態で、一端部４５ａが第１の取付板４０の連結面部４０ｅにおける下端部に回動可能に連結され、他端部４５ｂが第２の取付板４３の連結面部４３ｆにおける連結支持孔４３ｈに回動可能かつ摺動可能に連結されている。
【０１４１】
第２の連結アーム４６は、一端部４６ａが第２の取付板４３の連結支持孔４３ｈにおいて第１の連結アーム４５の他端部４５ｂに回動可能に連結され、他端部４６ｂが保持シャーシ３３の支持ピン３３ｂに回動可能に支持されている。
【０１４２】
第１の連結アーム４５の長手方向における長さは、第２の連結アーム４６の長手方向における長さより長くされている。
【０１４３】
パネルカバー４は第１のスライド体３８と第２のスライド体３９が上記のように連結された状態において、図２８に示すように、第１の取付板４０の被支持面部４０ｃ、４０ｃがそれぞれガイドレール３５、３５の支持溝３６ａ、３６ａに摺動自在に支持され、第２の取付板４３の被支持面部４３ｃ、４３ｃがそれぞれガイドレール３５、３５の支持溝３７ａ、３７ａに摺動自在に支持される。
【０１４４】
第１の取付板４０の被支持面部４０ｃ、４０ｃが支持溝３６ａ、３６ａに支持された状態においては、ガイドレール３５、３５に対して第１のスライド体３８が移動されたときに、図２８に示すように、摺動突部４０ｄ、４０ｄ、・・・が第１のレール部３６に対して摺動可能とされる。また、第２の取付板４３の被支持面部４３ｃ、４３ｃが支持溝３７ａ、３７ａに支持された状態においては、ガイドレール３５、３５に対して第２のスライド体３９が移動されたときに、摺動突部４３ｄ、４３ｄ、・・・が第２のレール部３７に対して摺動可能とされる。
【０１４５】
従って、パネルカバー４のガイドレール３５、３５に対する移動時に、摺動突部４０ｄ、４０ｄ、・・・、４３ｄ、４３ｄ、・・・がガイドレール３５、３５に摺動するため、パネルカバー４のガイドレール３５、３５に対する接触面積が少なく、パネルカバー４の円滑な移動動作を確保することができる。
【０１４６】
パネルカバー４は第１の取付板４０と第２の取付板４３がそれぞれガイドレール３５、３５に支持された状態において、クリーナー４２のクロス４２ｂが表示パネル３４の表示面３４ａに接している。
【０１４７】
［パネルカバーの開閉動作］
以下に、パネルカバー４の開閉動作について説明する（図３、図４、図２９乃至図３４参照）。
【０１４８】
パネルカバー４は上記のようにガイドレール３５、３５に支持された状態において、第１の開閉板４１の操作面部４１ｂの一部がリアケース７の配置孔７ａから後方へ突出される（図２９参照）。従って、撮影者（使用者）は操作面部４１ｂに宛った指を左右に動かすことにより、パネルカバー４をガイドレール３５、３５に対してスライドさせて開閉することができる。
【０１４９】
パネルカバー４が表示パネル３４を閉塞する閉じ位置にある状態（図３、図２９及び図３０参照）においては、第１のスライド体３８の右端部が第２のスライド体３９の左端部の前方に位置されている。このときクリーナー４２のクロス４２ｂが表示パネル３４の表示面３４ａに接している。閉じ位置においては、第１の連結アーム４５の他端部４５ｂと第２の連結アーム４６の一端部４６ａとが第２の取付板４３の連結支持孔４３ｈにおける下端部に位置されている。
【０１５０】
閉じ位置の状態において第１のスライド体３８が右方へ移動されると、第１の連結アーム４５と第２の連結アーム４６は他端部４５ｂと一端部４６ａが第２の取付板４３の連結支持孔４３ｈを上方へ向けて移動されるように回動されていく。このとき、図３１及び図３２に示すように、第２のスライド体３９は第１のスライド体３８の右方への移動に伴って右方へ移動されていくが、上記したように、第１の連結アーム４５が第２の連結アーム４６より長くされているため、第１のスライド体３８の右方への移動量が第２のスライド体３９より大きい。従って、第１のスライド体３８は第２のスライド体３９の前側に入り込みながら移動される。
【０１５１】
第１のスライド体３８がさらに右方へ移動されると、図３３及び図３４に示すように、第１のスライド体３８は操作面部４１ｂ以外の部分が第２のスライド体３９の前側に入り込み、パネルカバー４が表示パネル３４を開放する開き位置に至る（図４参照）。開き位置においては、第１の連結アーム４５の他端部４５ｂと第２の連結アーム４６の一端部４６ａとが第２の取付板４３の連結支持孔４３ｈにおける上端部に位置される（図３３参照）。
【０１５２】
上記したパネルカバー４の閉じ位置から開き位置までの移動中には、クリーナー４２のクロス４２ｂが表示パネル３４の表示面３４ａに摺接され、クロス４２ｂによって表示面３４ａがクリーニングされる。
【０１５３】
逆に、開き位置の状態において第１のスライド体３８が左方へ移動されると、第１の連結アーム４５と第２の連結アーム４６は他端部４５ｂと一端部４６ａが第２の取付板４３の連結支持孔４３ｈを下方へ向けて移動されるように回動されていく。このとき第２のスライド体３９は第１のスライド体３８の左方への移動に伴って左方へ移動されていくが、第１のスライド体３８の左方への移動量が第２のスライド体３９より大きい。従って、第１のスライド体３８は第２のスライド体３９の前側から左方へ突出しながら移動される。
【０１５４】
第１のスライド体３８がさらに左方へ移動されると、第１のスライド体３８は右端部のみが第２のスライド体３９の左端部の前方に位置され、パネルカバー４が表示パネル３４を閉塞する閉じ位置に至る。
【０１５５】
上記したパネルカバー４の開き位置から閉じ位置までの移動中にも、クリーナー４２のクロス４２ｂが表示パネル３４の表示面３４ａに摺接され、クロス４２ｂによって表示面３４ａがクリーニングされる。
【０１５６】
上記したように、撮像装置１にあっては、パネルカバー４の開閉動作が行われる毎にクリーナー４２によって表示パネル３４の表示面３４ａがクリーニングされるため、常に、表示面３４ａの表示の視認性の向上を図ることができる。
【０１５７】
また、パネルカバー４の開閉とは別に表示面３４ａのクリーニング作業を行う必要がなく、使い勝手の向上を図ることができる。
【０１５８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５９】
【図１】図２乃至図３４と共に本発明の実施の形態を示すものであり、本図は、撮像装置をレンズカバーが閉塞位置にある状態で示す斜視図である。
【図２】撮像装置をレンズカバーが開放位置にある状態で示す斜視図である。
【図３】撮像装置をパネルカバーが閉じ位置にある状態で示す斜視図である。
【図４】撮像装置をパネルカバーが開き位置にある状態で示す斜視図である。
【図５】フロントケース側の内部構造を示す分解斜視図である。
【図６】フロントケース側の内部構造を示す斜視図である。
【図７】スライダーと移動部材を示す拡大分解斜視図である。
【図８】スライダーと移動部材を示す拡大斜視図である。
【図９】ホルダーの拡大断面図である。
【図１０】図９のＸ−Ｘ線に沿う拡大断面図である。
【図１１】図９のＸＩ−ＸＩ線に沿う拡大断面図である。
【図１２】ホルダーの筒状支持部の内部を示す拡大展開図である。
【図１３】レンズカバーが閉塞位置にあるときの各部の状態を一部を断面にして示す背面図である。
【図１４】レンズカバーが閉塞位置にあるときのスライド軸と移動部材の位置関係を示す拡大斜視図である。
【図１５】ハンマーが上方へ移動されたときの各部の状態を一部を断面にして示す背面図である。
【図１６】ハンマーが上方へ移動されたときに移動部材によってスライド軸が押し上げられている状態を示す拡大斜視図である。
【図１７】スライダーが上方側の移動端まで移動されたときの各部の状態を一部を断面にして示す背面図である。
【図１８】スライド軸が案内溝より上方へ移動されスライド軸が移動部材に対して回転されている状態を示す拡大斜視図である。
【図１９】スライド軸の突歯部が移動部材の突歯状部に合致してスライド軸の移動部材に対する回転が停止された状態を示す拡大斜視図である。
【図２０】スライド軸の被案内突条がホルダーの突状部の傾斜面に接した状態を示す概念図である。
【図２１】図２０に引き続き、スライド軸の被案内突条がホルダーの突状部の傾斜面に摺動されている状態を示す概念図である。
【図２２】図２１に引き続き、スライド軸の被案内突条がホルダーの案内溝に挿入された状態を示す概念図である。
【図２３】レンズカバーが開放位置に移動されたときの各部の状態を一部を断面にして示す背面図である。
【図２４】レンズカバーが開放位置に移動されたときのスライド軸と移動部材の位置関係を示す拡大斜視図である。
【図２５】リアケース側の内部構造を示す分解斜視図である。
【図２６】リアケース側の内部構造を示す斜視図である。
【図２７】パネルカバーの第１の取付板と第２の取付板が連結アームによって連結された状態を示す拡大斜視図である。
【図２８】パネルカバーがガイドレールに支持された状態を示す拡大断面図である。
【図２９】パネルカバーが閉じ位置にある状態を示す概略背面図である。
【図３０】パネルカバーが閉じ位置にある状態を示す拡大断面図である。
【図３１】パネルカバーが開き位置へ向けて開放されている途中の状態を示す概略背面図である。
【図３２】パネルカバーが開き位置へ向けて開放されている途中の状態を示す拡大断面図である。
【図３３】パネルカバーが開き位置まで移動された状態を示す概略背面図である。
【図３４】パネルカバーが開き位置まで移動された状態を示す拡大断面図である。
【符号の説明】
【０１６０】
１…撮像装置、２…装置本体、３…レンズカバー、１０…撮影レンズ、１５…スライダー、２０…移動部材、２１…ハンマー、２１ｂ…接触部、２２…ホルダー、２４ｃ…第１の保持用係合部、２４ｄ…第２の保持用係合部、２８…付勢バネ
【図１】
2010128442.tif 000003
【図２】
2010128442.tif 000004
【図３】
2010128442.tif 000005
【図４】
2010128442.tif 000006
【図５】
2010128442.tif 000007
【図６】
2010128442.tif 000008
【図７】
2010128442.tif 000009
【図８】
2010128442.tif 000010
【図９】
2010128442.tif 000011
【図１０】
2010128442.tif 000012
【図１１】
2010128442.tif 000013
【図１２】
2010128442.tif 000014
【図１３】
2010128442.tif 000015
【図１４】
2010128442.tif 000016
【図１５】
2010128442.tif 000017
【図１６】
2010128442.tif 000018
【図１７】
2010128442.tif 000019
【図１８】
2010128442.tif 000020
【図１９】
2010128442.tif 000021
【図２０】
2010128442.tif 000022
【図２１】
2010128442.tif 000023
【図２２】
2010128442.tif 000024
【図２３】
2010128442.tif 000025
【図２４】
2010128442.tif 000026
【図２５】
2010128442.tif 000027
【図２６】
2010128442.tif 000028
【図２７】
2010128442.tif 000029
【図２８】
2010128442.tif 000030
【図２９】
2010128442.tif 000031
【図３０】
2010128442.tif 000032
【図３１】
2010128442.tif 000033
【図３２】
2010128442.tif 000034
【図３３】
2010128442.tif 000035
【図３４】
2010128442.tif 000036